(57)【要約】      （修正有）【課題】絶縁領域を跨いで設けられる給電トランスが不要な電力変換装置を提供する。【解決手段】多層基板１０は積層された配線層１０１、１０２を有する。第１回路群は、電源電圧Ｖｃ１から動作電圧Ｖｃ１１を得る電圧変換回路９０１を有し、第２回路群は、電源電圧Ｖｃ２から動作電圧Ｖｃ２１を得る電圧変換回路９０３を有する。電源電圧Ｖｃ１、Ｖｃ２は多層基板１０の外部から互いに絶縁されて供給される。配線層１０１において、第１回路群の配線パターンが配置される第１領域１０１ａと、第２回路群の配線パターンが配置される第２領域１０１ｂとは、絶縁性の第３領域１０１ｃによって分離される。配線層１０２においても同様に、第１領域１０２ａと第２領域１０２ｂとは第３領域１０２ｃによって分離される。配線層１０１、１０２の積層方向に沿って見て、第１領域１０１ａ、１０２ａの全ては、第２領域１０１ｂ、１０２ｂのいずれとも重ならない。【選択図】図１
2019083607.tif 000002
【特許請求の範囲】
【請求項１】
積層された複数の配線層（１０１，１０２）を有する多層基板（１０）と、
前記多層基板に搭載された第１回路群（７０１，７０３，８０１，８０３，９０１，９０２）と、
前記多層基板に搭載された第２回路群（２１０，３１０，７０２，８０２，９０３，９０４）と
を備える電力変換装置（１００）であって、
前記第１回路群は、
第１電源電圧（Ｖｃ１）から少なくとも一つの第１動作電圧（Ｖｃ１１，Ｖｃ１２）を得る第１電圧変換回路（９０１，９０２）と、
一の前記第１動作電圧（Ｖｃ１１）によって電力が供給されて動作するパワーモジュール（８０３）と
を有し、
前記第２回路群は、
第２電源電圧（Ｖｃ２，Ｖｃ３）から第２動作電圧（Ｖｃ２１，Ｖｃ３１）を得る第２電圧変換回路（９０３，９０４）と、
前記第２動作電圧によって電力が供給されて動作する負荷回路（２１０，３１０）と
を有し、
前記第１電源電圧と前記第２電源電圧とは、前記多層基板の外部から互いに絶縁されて供給され、
前記複数の配線層のいずれの配線層においても、前記第１回路群に採用される配線パターンが配置される第１領域（１０１ａ，１０２ａ）と、前記第２回路群に採用される配線パターンが配置される第２領域（１０１ｂ，１０２ｂ）とは、絶縁性の第３領域（１０１ｃ，１０２ｃ）によって分離され、
前記複数の配線層の積層方向に沿って見て、前記複数の配線層の全ての前記第１領域は、前記複数の配線層のいずれの前記第２領域とも重ならない、電力変換装置。
【請求項２】
前記第１回路群は、
他の前記第１動作電圧（Ｖｃ１２）によって電力が供給され、前記パワーモジュールを制御する第１制御信号（Ｇ１）を、第２制御信号（Ｇ２）に基づいて生成して、前記パワーモジュールへ出力する第１制御回路（８０１）
を更に有し、
前記第２回路群は、前記第２動作電圧（Ｖｃ３１）によって電力が供給され、前記第２制御信号（Ｇ２）を出力する第２制御回路（８０２）
を更に有し、
前記第３領域を跨いで前記多層基板（１０）に配置され、前記第２領域（１０２ｂ）において前記第２制御信号を入力する入力端対（６０２ｂ）と、前記第１領域（１０２ａ）において前記第２制御信号を出力する出力端対（６０２ａ）とを有し、前記第２制御信号を前記第２制御回路から前記第１制御回路へ中継する第１フォトカプラ（６０２）
を更に備える、請求項１記載の電力変換装置。
【請求項３】
前記第２制御回路（８０２）は、前記第１電圧変換回路（９０１）の動作を一時停止させるスタンバイ信号（ＳＴＢ）を出力し、
前記第３領域を跨いで前記多層基板（１０）に配置され、前記第２領域（１０１ｂ）において前記スタンバイ信号を入力する入力端対（６０１ｂ）と、前記第１領域（１０１ａ）において前記スタンバイ信号を出力する出力端対（６０１ａ）とを有し、前記スタンバイ信号を前記第２制御回路から前記第１電圧変換回路へと中継する第２フォトカプラ（６０１）
を更に備える、請求項２記載の電力変換装置。
【請求項４】
前記第２制御回路（８０２）は、前記第２電圧変換回路（９０３，９０４）の動作を休止させるスリープ信号（ＳＬ２，ＳＬ３）を、前記第２電圧変換回路へ出力する、請求項２又は請求項３に記載の電力変換装置。
【発明の詳細な説明】
【技術分野】
【０００１】
本件は、電力変換装置に関する。
【背景技術】
【０００２】
特許文献１には、駆動回路と電源回路とを配置する強電系の駆動回路／電源回路配置配線領域を、弱電系の制御回路との間に絶縁領域を介在させてスイッチング素子毎に設けて対となる駆動回路／電源回路配置配線領域同士の間に間隔を確保した上で、制御回路からの供給電圧を変圧する給電トランスを、電源回路毎に絶縁領域を跨いで設けたことを特徴とする電力変換装置が開示されている。
【先行技術文献】
【特許文献】
【０００３】
【特許文献１】国際公開第２０１６／０８８２１１号
【発明の概要】
【発明が解決しようとする課題】
【０００４】
本開示では、絶縁領域を跨いで設けられる給電トランスを必須としない電力変換装置が提案される。
【課題を解決するための手段】
【０００５】
本開示にかかる電力変換装置（１００）の第１の態様は、積層された複数の配線層（１０１，１０２）を有する多層基板（１０）と、前記多層基板に搭載された第１回路群（７０１，７０３，８０１，８０３，９０１，９０２）と、前記多層基板に搭載された第２回路群（２１０，３１０，７０２，８０２，９０３，９０４）とを備える。
【０００６】
前記第１回路群は、第１電源電圧（Ｖｃ１）から少なくとも一つの第１動作電圧（Ｖｃ１１，Ｖｃ１２）を得る第１電圧変換回路（９０１，９０２）と、一の前記第１動作電圧（Ｖｃ１１）によって電力が供給されて動作するパワーモジュール（８０３）とを有する。
【０００７】
前記第２回路群は、第２電源電圧（Ｖｃ２，Ｖｃ３）から第２動作電圧（Ｖｃ２１，Ｖｃ３１）を得る第２電圧変換回路（９０３，９０４）と、前記第２動作電圧によって電力が供給されて動作する負荷回路（２１０，３１０）とを有する。
【０００８】
前記第１電源電圧と前記第２電源電圧とは、前記多層基板の外部から互いに絶縁されて供給される。
【０００９】
前記複数の配線層のいずれの配線層においても、前記第１回路群に採用される配線パターンが配置される第１領域（１０１ａ，１０２ａ）と、前記第２回路群に採用される配線パターンが配置される第２領域（１０１ｂ，１０２ｂ）とは、絶縁性の第３領域（１０１ｃ，１０２ｃ）によって分離される。
【００１０】
前記複数の配線層の積層方向に沿って見て、前記複数の配線層の全ての前記第１領域は、前記複数の配線層のいずれの前記第２領域とも重ならない。
【００１１】
本開示にかかる電力変換装置（１００）の第２の態様は、その第１の態様であって、前記第１回路群は、他の前記第１動作電圧（Ｖｃ１２）によって電力が供給され、前記パワーモジュールを制御する第１制御信号（Ｇ１）を、第２制御信号（Ｇ２）に基づいて生成して、前記パワーモジュールへ出力する第１制御回路（８０１）を更に有する。前記第２回路群は、前記第２動作電圧（Ｖｃ３１）によって電力が供給され、前記第２制御信号（Ｇ２）を出力する第２制御回路（８０２）を更に有する。電力変換装置（１００）の第２の態様は、前記第３領域を跨いで前記多層基板（１０）に配置され、前記第２領域（１０２ｂ）において前記第２制御信号を入力する入力端対（６０２ｂ）と、前記第１領域（１０２ａ）において前記第２制御信号を出力する出力端対（６０２ａ）とを有し、前記第２制御信号を前記第２制御回路から前記第１制御回路へ中継する第１フォトカプラ（６０２）を更に備える。
【００１２】
本開示にかかる電力変換装置（１００）の第３の態様は、その第２の態様であって、前記第２制御回路（８０２）は、前記第１電圧変換回路（９０１）の動作を一時停止させるスタンバイ信号（ＳＴＢ）を出力する。電力変換装置（１００）の第３の態様は、前記第３領域を跨いで前記多層基板（１０）に配置され、前記第２領域（１０１ｂ）において前記スタンバイ信号を入力する入力端対（６０１ｂ）と、前記第１領域（１０１ａ）において前記スタンバイ信号を出力する出力端対（６０１ａ）とを有し、前記スタンバイ信号を前記第２制御回路から前記第１電圧変換回路へと中継する第２フォトカプラ（６０１）を更に備える。
【００１３】
本開示にかかる電力変換装置（１００）の第４の態様は、その第２の態様または第３の態様であって、前記第２制御回路（８０２）は、前記第２電圧変換回路（９０３，９０４）の動作を休止させるスリープ信号（ＳＬ２，ＳＬ３）を、前記第２電圧変換回路へ出力する。
【発明の効果】
【００１４】
本開示にかかる電力変換装置の第１の態様では、絶縁領域を跨いで設けられる給電トランスは必須ではない。
【００１５】
本開示にかかる電力変換装置の第２の態様では、第１回路群と第２回路群との間の絶縁性を損なうことなく、第２回路群から第１回路群へ第２制御信号が伝達される。
【００１６】
本開示にかかる電力変換装置の第３の態様では、第１回路群と第２回路群との間の絶縁性を損なうことなく、第２回路群から第１回路群へスタンバイ信号が伝達される。
【００１７】
本開示にかかる電力変換装置の第３の態様、及び第４の態様は、電力消費の低減の観点で望ましい。
【図面の簡単な説明】
【００１８】
【図１】実施の形態で説明される電力変換装置の空間的な構成を模式的に示す平面図である。
【図２】電力変換装置の電気的な構成を示す回路図である。
【図３】複数の電源電圧を互いに絶縁して供給するスイッチング電源の構成を例示する回路図である。
【発明を実施するための形態】
【００１９】
図１は実施の形態で説明される電力変換装置１００の空間的な構成を模式的に示す平面図である。電力変換装置１００は、多層基板１０と、第１回路群と、第２回路群とを備える。第１回路群と、第２回路群はいずれも多層基板１０に搭載されている。多層基板１０は積層された複数の配線層を有しており、図１では配線層１０１，１０２が例示されている。
【００２０】
図１において配線層１０１は手前側に、配線層１０２は向こう側に、それぞれ位置する場合が例示されている。つまり、図１は配線層１０１，１０２の積層方向に沿って見た、より具体的には配線層１０１から配線層１０２へ向かう方向に沿って見た平面図である。図１において配線層１０１を示す引き出し線には実線が、配線層１０２を示す引き出し線には破線が、それぞれ採用されている。
【００２１】
配線層１０１，１０２のいずれもが、第１回路群に採用される配線パターンが配置される第１領域と、第２回路群に採用される配線パターンが配置される第２領域と、絶縁性の第３領域を有する。第３領域は第１領域と第２領域を分離する。ただし、簡単のため、配線パターンの図示は省略した。
【００２２】
具体的には、配線層１０１は、第１領域１０１ａと、第２領域１０１ｂと、第３領域１０１ｃとを有する。配線層１０２は、第１領域１０２ａと、第２領域１０２ｂと、第３領域１０２ｃとを有する。
【００２３】
図１において第１領域１０１ａと、第２領域１０１ｂと、第３領域１０１ｃとを示す引き出し線には、配線層１０１と同様に実線が採用されている。図１において第１領域１０２ａと、第２領域１０２ｂと、第３領域１０２ｃとを示す引き出し線には、配線層１０２と同様に破線が採用されている。
【００２４】
図１では、第１領域１０１ａは第１領域１０２ａと、第２領域１０２ｂは第２領域１０２ｂと、第３領域１０１ｃは第３領域１０２ｃと、それぞれ平面視上で一致する場合が例示されている。しかし電力変換装置１００において、そのような一致は要求されない。電力変換装置１００においては、配線層１０１，１０２の積層方向に沿って見て、第１領域１０１ａ，１０２ａの全てが、第２領域１０１ｂ，１０２ｂのいずれとも重ならないことが要求される。
【００２５】
図２は電力変換装置１００の電気的な構成を示す回路図である。図２において仮想線Ｊは第３領域１０１ｃ，１０２ｃに対応し、仮想線Ｊよりも図面上で上側に第１回路群が、下側に第２回路群が、それぞれ示される。仮想線Ｊよりも上側における接続関係は、第１領域１０１ａ，１０２ａに配置される配線パターンによって実現される。仮想線Ｊよりも下側における接続関係は、第２領域１０１ｂ，１０２ｂに配置される配線パターンによって実現される。
【００２６】
第１回路群は、電圧変換回路９０１，９０２と、パワーモジュール８０３とを有する。これらは例えば面実装部品である。これらは配線層１０２側に搭載されるので、図１において破線で示される。
【００２７】
電圧変換回路９０１，９０２は、電源電圧Ｖｃ１から動作電圧Ｖｃ１１，Ｖｃ１２を得る。より具体的には、電圧変換回路９０１は電源電圧Ｖｃ１から動作電圧Ｖｃ１１を得て、電圧変換回路９０２は動作電圧Ｖｃ１１から動作電圧Ｖｃ１２を得る。パワーモジュール８０３は動作電圧Ｖｃ１１によって電力が供給されて動作する。パワーモジュール８０３は例えばインテリジェントパワーモジュールである。
【００２８】
パワーモジュール８０３は例えば三相相補ＰＷＭで、三相負荷を駆動する三相電圧を出力する。かかる三相電圧は、コネクタ７０３を介して、電力変換装置１００から三相負荷（不図示）に出力される。ここではコネクタ７０３は配線層１０１側に搭載されるので、図１において実線で示される。コネクタ７０３を第１回路群に含めて捉えることができる。コネクタ７０３は例えば面実装部品である。
【００２９】
第２回路群は、電圧変換回路９０３，９０４と、負荷回路２１０，３１０とを有する。これらは例えば面実装部品である。これらは配線層１０１側に搭載されるので、図１において実線で示される。
【００３０】
電圧変換回路９０３は電源電圧Ｖｃ２から動作電圧Ｖｃ２１を得る。電圧変換回路９０４は電源電圧Ｖｃ３から動作電圧Ｖｃ３１を得る。負荷回路２１０は動作電圧Ｖｃ２１によって電力が供給されて動作し、負荷回路３１０は動作電圧Ｖｃ３１によって電力が供給されて動作する。負荷回路２１０としては、ステッピングモータやセンサを例示することができる。負荷回路３１０としてはセンサを例示することができる。
【００３１】
第１回路群に与えられる電源電圧Ｖｃ１と、第２回路群に与えられる電源電圧Ｖｃ２，Ｖｃ３とは、多層基板１０の外部から互いに絶縁されて供給される。図１ではコネクタ７０１を介して、電圧変換回路９０１に電源電圧Ｖｃ１が、第１回路群の接地電位として電位Ｅ１が、それぞれ与えられる。コネクタ７０２を介して、電圧変換回路９０３に電源電圧Ｖｃ２が、電圧変換回路９０４に電源電圧Ｖｃ３が、第２回路群の接地電位として電位Ｅ２が、それぞれ与えられる。ここではコネクタ７０１，７０２は配線層１０１側に搭載されるので、図１において実線で示される。コネクタ７０１，７０２を、それぞれ第１回路群、第２回路群に含めて捉えることができる。これらは例えば面実装部品である。
【００３２】
上述のように、第１回路群における接続関係は第１領域１０１ａ，１０２ａに配置される配線パターンによって実現され、第２回路群における接続関係は第２領域１０１ｂ，１０２ｂに配置される配線パターンによって実現される。第１領域１０１ａ，１０２ａの全ては第２領域１０１ｂ，１０２ｂのいずれとも重ならない。そして第１回路群と第２回路群とは互いに絶縁された経路で給電される。したがって第１回路群が有するパワーモジュール８０３のスイッチングノイズが第２回路群へ与える影響が低減される。同様に、第２回路群から第１回路群へのノイズの影響も低減される。また絶縁性の第３領域を跨ぐ昇圧トランスも必要ない。
【００３３】
なお、図２では仮想線Ｊを跨いで第１回路群と第２回路群との間に介在するフォトカプラ６０１，６０２も示されている。これらは例えば面実装部品である。フォトカプラ６０１は出力端対６０１ａと入力端対６０１ｂとを有し、フォトカプラ６０２は出力端対６０２ａと入力端対６０２ｂとを有する。
【００３４】
フォトカプラ６０１，６０２の機能については後述するが、出力端対６０１ａ，６０２ａは第１回路群に、入力端対６０１ｂ，６０２ｂは第２回路群に、それぞれ接続される。図１では出力端対６０１ａ，６０２ａはそれぞれ第１領域１０１ａ，１０２ａに配置され、入力端対６０１ｂ，６０２ｂはそれぞれ第２領域１０１ｂ，１０２ｂに配置される。フォトカプラ６０１は配線層１０１側に搭載されるので実線で示され、フォトカプラ６０２は配線層１０２側に搭載されるので破線で示される。
【００３５】
一般的にフォトカプラはその入力側と出力側とは絶縁されるので、フォトカプラ６０１，６０２は第１回路群と第２回路群との間の絶縁性を損なうことはない。
【００３６】
図３は、電源電圧Ｖｃ１と、電源電圧Ｖｃ２，Ｖｃ３とを互いに絶縁して供給するスイッチング電源の構成を例示する回路図である。
【００３７】
トランス３は一次巻線３０１，３０２と、中間タップ付の二次巻線３０３とを有する。ダイオードブリッジ２は交流電源１から得た交流電圧を入力する。ダイオードブリッジ２の出力はスイッチング素子Ｑ１を介して一次巻線３０１に与えられる。スイッチング素子Ｑ１のスイッチングによって一次巻線３０１には交流電流が流れる。一次巻線３０２の出力はダイオード５０１によって整流され、コンデンサ４０１によって平滑され、電源電圧Ｖｃ１が得られる。一次巻線３０１，３０２の接地電位、即ちトランス３の一次側の接地電位は電位Ｅ１である。
【００３８】
二次巻線３０３の全体からの出力は、ダイオード５０２とコンデンサ４０２によって整流され平滑され、電源電圧Ｖｃ２が得られる。また二次巻線３０３の中間タップからの出力は、ダイオード５０３とコンデンサ４０３によって整流され平滑され、電源電圧Ｖｃ３が得られる。二次巻線３０３の接地電位、即ちトランス３の二次側の接地電位は電位Ｅ２である。
【００３９】
スイッチング素子Ｑ１のスイッチングは、電源電圧Ｖｃ２を所定値に維持するように、スイッチング制御回路６００によって制御される。
【００４０】
例えば、電源電圧Ｖｃ１，Ｖｃ２，Ｖｃ３はそれぞれ１７Ｖ，１４Ｖ，７Ｖであり、動作電圧Ｖｃ１１，Ｖｃ１２，Ｖｃ２１、Ｖｃ３１はそれぞれ１５Ｖ，５Ｖ，１４Ｖ，５Ｖである。この例示ではＶｃ２＝Ｖｃ２１であるので、電圧変換回路９０３によって変換された電圧の差はないものの、ここでは電圧差０での電圧変換が行なわれると捉える。また、後述するように、電圧変換回路９０３が休止して動作電圧Ｖｃ２１を出力しないことによって、負荷回路２１０を動作させないことができる。
【００４１】
第１回路群は制御回路８０１を更に有し、第２回路群は制御回路８０２を更に有する。具体的には制御回路８０１，８０２は例えばマイクロコンピュータで実現される。これらは例えば面実装部品である。制御回路８０１は第１領域１０２ａに、制御回路８０２は第２領域１０２ｂに、それぞれ搭載されるので、いずれも配線層１０２に搭載される。よって図１においてこれらは破線で示される。
【００４２】
制御回路８０１は、制御信号Ｇ２に基づいて制御信号Ｇ１を生成し、これをパワーモジュール８０３へ出力する。制御信号Ｇ１はパワーモジュール８０３を制御する。具体的には例えば、パワーモジュール８０３は制御信号Ｇ１に基づいてスイッチングを行なう。制御回路８０１は動作電圧Ｖｃ１２によって電力が供給される。制御回路８０２は動作電圧Ｖｃ３１によって電力が供給され、制御信号Ｇ２を出力する。
【００４３】
例えば制御信号Ｇ１はパワーモジュール８０３を三相相補ＰＷＭで動作させるためのオン／オフ動作を規定し、制御信号Ｇ２は制御信号Ｇ１の生成に必要なスイッチングパターンを規定する。このような制御信号Ｇ１，Ｇ２の生成については周知の技術によって容易に実現されるので、詳細な説明は省略する。
【００４４】
フォトカプラ６０２は、制御信号Ｇ２を制御回路８０２から制御回路８０１へと中継する。具体的には、第２領域１０２ｂにおいて入力端対６０２ｂに制御回路８０２から制御信号Ｇ２を入力し、第１領域１０２ａにおいて出力端対６０２ａから制御回路８０１へと制御信号Ｇ２を出力する。
【００４５】
入力端対６０２ｂの一方（フォトカプラ６０２がその入力側に有するフォトダイオードのアノード）には動作電圧Ｖｃ３１が供給され、他方（当該フォトダイオードのカソード）にはスイッチング素子Ｑ２を介して電位Ｅ２が供給される。スイッチング素子Ｑ２のオン／オフは制御信号Ｇ２によって制御されるので、入力端対６０２ｂには、スイッチング素子Ｑ２を介してはいるものの、制御信号Ｇ２が入力されるということができる。スイッチング素子Ｑ２は第２領域１０１ｂまたは第２領域１０２ｂに搭載される。
【００４６】
このようにフォトカプラ６０２を用いることにより、第１回路群と第２回路群との間の絶縁性を損なうことなく、第２回路群から第１回路群へ制御信号Ｇ２を伝達することができる。
【００４７】
制御回路８０２は、電圧変換回路９０１の動作を一時停止させるスタンバイ信号ＳＴＢをも出力する。スタンバイ信号ＳＴＢによって電圧変換回路９０１の動作を一時停止させる技術は周知の技術であるので、詳細な説明は省略する。
【００４８】
フォトカプラ６０１は、スタンバイ信号ＳＴＢを制御回路８０２から電圧変換回路９０１へと中継する。具体的には、第２領域１０１ｂにおいて入力端対６０１ｂに制御回路８０２からスタンバイ信号ＳＴＢを入力し、第１領域１０１ａにおいて出力端対６０１ａから電圧変換回路９０１へとスタンバイ信号ＳＴＢを出力する。
【００４９】
入力端対６０１ｂの一方（フォトカプラ６０１がその入力側に有するフォトダイオードのアノード）には動作電圧Ｖｃ２１が供給され、他方（当該フォトダイオードのカソード）にはスイッチング素子Ｑ３を介して電位Ｅ２が供給される。スイッチング素子Ｑ３のオン／オフはスタンバイ信号ＳＴＢによって制御されるので、入力端対６０１ｂには、スイッチング素子Ｑ３を介してはいるものの、スタンバイ信号ＳＴＢが入力されるということができる。スイッチング素子Ｑ３は第２領域１０１ｂまたは第２領域１０２ｂに搭載される。
【００５０】
このようにフォトカプラ６０１を用いることにより、第１回路群と第２回路群との間の絶縁性を損なうことなく、第２回路群から第１回路群へスタンバイ信号ＳＴＢを伝達することができる。
【００５１】
制御回路８０２は、電圧変換回路９０３，９０４の動作をそれぞれ休止させるスリープ信号ＳＬ２，ＳＬ３を、電圧変換回路９０３，９０４へ出力する。スリープ信号ＳＬ２，ＳＬ３によって電圧変換回路９０３，９０４の動作を休止させる技術は周知の技術であるので、詳細な説明は省略する。
【００５２】
スタンバイ信号ＳＴＢによる電圧変換回路９０１の一時停止や、スリープ信号ＳＬ２，ＳＬ３による電圧変換回路９０３，９０４の休止は、電力消費の低減の観点で望ましい機能である。具体的には電圧変換回路９０３の休止によって動作電圧Ｖｃ２１が出力しないことにより、負荷回路２１０が動作せず、負荷回路２１０における電力消費がなくなる。同様に、電圧変換回路９０４の休止によって動作電圧Ｖｃ３１が出力しないことにより、負荷回路３１０が動作せず、負荷回路３１０における電力消費がなくなる。
【００５３】
多層基板１０が配線層１０１，１０２以外に、これらと積層される配線層を有してもよい。これらのいずれの配線層においても、第１回路群に採用される配線パターンが配置される第１領域と、第２回路群に採用される配線パターンが配置される第２領域とは、絶縁性の第３領域によって分離される。そしてこれらの配線層の積層方向に沿って見て、配線層の全ての第１領域は、配線層のいずれの第２領域とも重ならない。これにより、第１回路群からのノイズが第２回路群へ与える影響を低減できる。配線層の各々における第３領域同士の形状は、積層方向に沿って見て一致する必要はない。
【００５４】
以上、実施形態を説明したが、特許請求の範囲の趣旨及び範囲から逸脱することなく、形態や詳細の多様な変更が可能なことが理解されるであろう。
【符号の説明】
【００５５】
１０  多層基板
１００  電力変換装置
１０１，１０２  配線層
１０１ａ，１０２ａ  第１領域
１０１ｂ，１０２ｂ  第２領域
１０１ｃ，１０２ｃ  第３領域
２１０，３１０  負荷回路
６０１，６０２  フォトカプラ
８０１，８０２  制御回路
８０３  パワーモジュール
９０１，９０２，９０３，９０４  電圧変換回路
Ｇ１，Ｇ２  制御信号
ＳＬ２，ＳＬ３  スリープ信号
ＳＴＢ  スタンバイ信号
Ｖｃ１，Ｖｃ２，Ｖｃ３  電源電圧
Ｖｃ１１，Ｖｃ１２，Ｖｃ２１，Ｖｃ３１  動作電圧
【図１】
2019083607.tif 000003
【図２】
2019083607.tif 000004
【図３】
2019083607.tif 000005